【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
移動局の２つ以上の物理的に分離されたアンテナにおいて１つまたは複数の衛星測位システム（ＳＰＳ）信号を受信することと、ここにおいて、前記２つ以上のアンテナは、前記移動局の受信機に２つ以上の個々の無線周波数信号を提供するように構成される、
前記受信機のフロントエンドの１つまたは複数の個々のパスにおいて前記無線周波数信号のうちの１つまたは複数をダウンコンバートして、同相及び直交成分を備える２つ以上の複素ディジタル信号を生成することと、
前記２つ以上の複素ディジタル信号を、少なくとも一部が位置推定動作に関連する１つまたは複数の性能メトリックを改善するように処理することであって、前記２つ以上の複素ディジタル信号を合成して合成ディジタル信号を生成することを含み、ここで、前記合成することは、
前記同相及び直交成分を備える前記２つ以上の複素ディジタル信号の各々を個々に逆拡散させ、回転させることと、
前記同相及び直交成分を備える、前記逆拡散され、かつ回転された前記複数の信号を合成して前記合成ディジタル信号を生成することと、
を備える、処理することと
を備える方法。
【請求項２】
前記２つ以上の複素ディジタル信号を処理することは１つまたは複数のピークを検出することを追加的に備える請求項１に記載の方法。
【請求項３】
前記２つ以上の複素ディジタル信号を合成することは、非コヒーレント合成アルゴリズムに従って実行され、前記逆拡散され、かつ回転された信号を合成することは、
前記２つ以上の複素ディジタル信号の前記逆拡散および回転の結果を個々にコヒーレント的に累積することと、
前記２つ以上の複素ディジタル信号の前記コヒーレント的に累積することの結果を個々に非コヒーレント的に累積し、２つ以上の非コヒーレント累積を生成することと、
前記２つ以上の非コヒーレント累積を加算して前記合成ディジタル信号を生成することとを備える請求項１に記載の方法。
【請求項４】
前記２つ以上の非コヒーレント累積を加算することは、前記２つ以上のアンテナの個々の利得に少なくとも一部が依存する加重加算を実行することを備える請求項３に記載の方法。
【請求項５】
前記２つ以上の複素ディジタル信号を合成することは、コヒーレント合成アルゴリズムに従って実行され、前記逆拡散され、かつ回転された信号を合成することは、
前記２つ以上の複素ディジタル信号の前記逆拡散および回転の結果を個々にコヒーレント的に累積し、コヒーレント累積結果を生成することと、
前記２つ以上の複素ディジタル信号間の１つまたは複数の位相差を推定することと、
前記コヒーレント累積結果を位相整合することと、
前記位相整合されたコヒーレント累積結果をコヒーレント的に合成することと、
前記コヒーレント的に合成した結果を非コヒーレント的に加算して前記合成ディジタル信号を生成することとを備える、請求項１に記載の方法。
【請求項６】
前記２つ以上の複素ディジタル信号を処理することは、前記２つ以上の複素ディジタル信号についての２つ以上の個々の信頼度標識の比較に少なくとも一部が応答して、位置計算のために前記２つ以上の複素ディジタル信号のうちの１つを選択することをさらに備える、請求項１に記載の方法。
【請求項７】
前記２つ以上の信頼度標識は、前記２つ以上の個々の複素ディジタル信号についての２
つ以上の信号強度推定値に少なくとも一部基づくものである、請求項６に記載の方法。
【請求項８】
前記２つ以上の個々のアンテナからの前記２つ以上の無線周波数信号と単一の受信機パスとを使って２回以上の順次の浅い探索を実行することと、ここにおいて、前記浅い探索は、前記２回以上の個々の浅い探索と関連付けられた２つ以上の性能メトリックをもたらすように構成される、
前記２つ以上の性能メトリックの比較に少なくとも一部基づいて前記２つ以上のアンテナのうちの１つを選択することとをさらに備える、請求項１に記載の方法。
【請求項９】
前記２つ以上の性能メトリックは、前記２つ以上の無線周波数信号から個々に取得される宇宙機の数を備える、請求項８に記載の方法。
【請求項１０】
前記２つ以上の性能メトリックは、個々に前記２つ以上の無線周波数信号からの信号強度推定値に少なくとも一部基づくものである、請求項８に記載の方法。
【請求項１１】
１つまたは複数のＳＰＳ信号を受信し、２つ以上の個々の無線周波数信号を提供する２つ以上の物理的に分離されたアンテナと、
前記２つ以上の個々のアンテナから前記２つ以上の無線周波数信号を受信する１つまたは複数のパスを備える受信機と、ここにおいて、前記１つまたは複数のパスが、前記無線周波数信号のうちの１つまたは複数をダウンコンバートして同相及び直交成分を備える２つ以上の複素ディジタル信号を生成する２つ以上の個々の複素ミキサを備える、
少なくとも一部が位置推定動作に関連する１つまたは複数の性能メトリックを改善するように前記２つ以上の複素ディジタル信号を処理するディジタルベースバンド処理エンジンであって、前記２つ以上の複素ディジタル信号を合成して合成ディジタル信号を生成するように構成される合成部を含み、ここで、前記２つ以上の複素ディジタル信号を合成するように構成される前記合成部は、
前記同相及び直交成分を備える前記２つ以上の複素ディジタル信号の各々を個々に逆拡散させ、回転させることと、
前記同相及び直交成分を備える、前記逆拡散され、かつ回転された前記複数の信号を合成して前記合成ディジタル信号を生成することと、
を備える動作をもたらすように構成される、ディジタルベースバンド処理エンジンと
を備える移動局。
【請求項１２】
前記ディジタルベースバンド処理エンジンは、少なくとも一部が１つまたは複数のピークを検出することによって前記２つ以上の複素ディジタル信号を処理するように追加的に構成される、請求項１１に記載の移動局。
【請求項１３】
前記２つ以上の複素ディジタル信号を合成するように構成された前記合成部は、非コヒーレント合成アルゴリズムに従って前記２つ以上の複素ディジタル信号を合成するように構成され、前記逆拡散され、かつ回転された信号を合成することは、
前記２つ以上の複素ディジタル信号の前記逆拡散および回転の結果を個々にコヒーレント的に累積することと、
前記２つ以上の複素ディジタル信号の前記コヒーレント的に累積することの結果を個々に非コヒーレント的に累積し、２つ以上の非コヒーレント累積を生成することと、
前記２つ以上の非コヒーレント累積を加算して前記合成ディジタル信号を生成することとを備える、請求項１１に記載の移動局。
【請求項１４】
前記２つ以上の非コヒーレント累積を加算することは、前記２つ以上のアンテナの個々の利得に少なくとも一部が依存する加重加算を実行すること備える、請求項１３に記載の移動局。
【請求項１５】
前記２つ以上の複素ディジタル信号を合成するように構成された前記合成部は、コヒーレント合成アルゴリズムに従って前記２つ以上の複素ディジタル信号を合成するように構成され、前記逆拡散され、かつ回転された信号を合成することは、
前記２つ以上の複素ディジタル信号の前記逆拡散および回転の結果を個々にコヒーレント的に累積し、コヒーレント累積結果を生成することと、
前記２つ以上の複素ディジタル信号間の１つまたは複数の位相差を推定することと、
前記コヒーレント累積結果を位相整合することと、
前記位相整合されたコヒーレント累積結果をコヒーレント的に合成することと、
前記コヒーレント的に合成した結果を非コヒーレント的に加算して前記合成ディジタル信号を生成することとを備える、請求項１１に記載の移動局。
【請求項１６】
前記ディジタルベースバンド処理エンジンは、前記２つ以上の複素ディジタル信号についての２つ以上の個々の信頼度標識の比較に少なくとも一部が応答して、位置計算のために前記２つ以上の複素ディジタル信号のうちの１つを選択するようにさらに構成される、請求項１１に記載の移動局。
【請求項１７】
前記２つ以上の信頼度標識は、前記２つ以上の個々の複素ディジタル信号についての２つ以上の信号強度推定値に少なくとも一部基づくものである、請求項１６に記載の移動局。
【請求項１８】
前記ディジタルベースバンド処理エンジンはさらに、前記２つ以上の個々のアンテナからの前記２つ以上の無線周波数信号と単一の受信機パスとを使って２回以上の順次の浅い探索を実行するように構成され、前記浅い探索は、前記２回以上の個々の浅い探索と関連付けられた２つ以上の性能メトリックをもたらすように構成され、前記ディジタルベースバンド処理エンジンはさらに、前記２つ以上の性能メトリックの比較に少なくとも一部基づいて前記２つ以上のアンテナのうちの１つを選択するように構成される、請求項１１に記載の移動局。
【請求項１９】
前記２つ以上の性能メトリックは、前記２つ以上の無線周波数信号から個々に取得される宇宙機の数を備える、請求項１８に記載の移動局。
【請求項２０】
前記２つ以上の性能メトリックは、個々に前記２つ以上の無線周波数信号からの信号強度推定値を備える、請求項１８に記載の移動局。
【請求項２１】
移動局の２つ以上の物理的に分離されたアンテナにおいて１つまたは複数の衛星測位システム（ＳＰＳ）信号を受信する手段と、ここにおいて、前記２つ以上のアンテナは、前記移動局の受信機に２つ以上の個々の無線周波数信号を提供するように構成される、
前記受信機のフロントエンドの１つまたは複数の個々のパスにおいて前記無線周波数信号のうちの１つまたは複数をダウンコンバートして、同相及び直交成分を備える２つ以上の複素ディジタル信号を生成する手段と、
前記２つ以上の複素ディジタル信号を、少なくとも一部が位置推定動作に関連する１つまたは複数の性能メトリックを改善するように処理する手段であって、前記２つ以上の複素ディジタル信号を合成して合成ディジタル信号を生成する手段を含み、ここで、前記合成する手段は、
前記同相及び直交成分を備える前記２つ以上の複素ディジタル信号の各々を個々に逆拡散させ、回転させる手段と、
前記同相及び直交成分を備える、前記逆拡散され、かつ回転された前記複数の信号を合成して合成ディジタル信号を生成する手段と
を備える、処理する手段と
を備える装置。
【請求項２２】
前記２つ以上の複素ディジタル信号を処理する前記手段は、１つまたは複数のピークを検出する手段を追加的に備える、請求項２１に記載の装置。
【請求項２３】
前記２つ以上の複素ディジタル信号を合成する前記手段は、非コヒーレント合成アルゴリズムに従って実行され、前記逆拡散され、かつ回転された信号を合成する前記手段は、
前記２つ以上の複素ディジタル信号の前記逆拡散および回転の結果を個々にコヒーレント的に累積する手段と、
前記２つ以上の複素ディジタル信号の前記コヒーレント的に累積することの結果を個々に非コヒーレント的に累積し、２つ以上の非コヒーレント累積を生成する手段と、
前記２つ以上の非コヒーレント累積を加算して前記合成ディジタル信号を生成する手段とを備える、請求項２１に記載の装置。
【請求項２４】
前記２つ以上の非コヒーレント累積を加算する前記手段は、前記２つ以上のアンテナの個々の利得に少なくとも一部が依存する加重加算を実行する手段を備える請求項２３に記載の装置。
【請求項２５】
前記２つ以上の複素ディジタル信号を合成する前記手段は、コヒーレント合成アルゴリズムに従って実行され、前記逆拡散され、かつ回転された信号を合成する前記手段は、
前記２つ以上の複素ディジタル信号の前記逆拡散および回転の結果を個々にコヒーレント的に累積し、コヒーレント累積結果を生成する手段と、
前記２つ以上の複素ディジタル信号間の１つまたは複数の位相差を推定する手段と、
前記コヒーレント累積結果を位相整合する手段と、
前記位相整合されたコヒーレント累積結果をコヒーレント的に合成してコヒーレント合成結果を生成する手段と、
前記コヒーレント合成結果を非コヒーレント的に加算して前記合成ディジタル信号を生成する手段とを備える、請求項２１に記載の装置。
【請求項２６】
前記２つ以上の複素ディジタル信号を処理する前記手段は、前記２つ以上の複素ディジタル信号についての２つ以上の個々の信頼度標識の比較に少なくとも一部が応答して、位置計算のために前記複素ディジタル信号のうちの１つを選択する手段をさらに備える請求項２１に記載の装置。
【請求項２７】
前記２つ以上の信頼度標識は、前記２つ以上の個々の複素ディジタル信号についての２
つ以上の信号強度推定値に少なくとも一部基づくものである、請求項２６に記載の装置。
【請求項２８】
前記２つ以上の個々のアンテナからの前記２つ以上の無線周波数信号と単一の受信機パスとを使って２回以上の順次の浅い探索を実行する手段と、ここにおいて、前記浅い探索は、前記２回以上の個々の浅い探索と関連付けられた２つ以上の性能メトリックをもたらすように構成される、
前記２つ以上の性能メトリックの比較に少なくとも一部基づいて前記２つ以上のアンテナのうちの１つを選択する手段とをさらに備える、請求項２１に記載の装置。
【請求項２９】
前記２つ以上の性能メトリックは、前記２つ以上の無線周波数信号から個々に取得される宇宙機の数を備える請求項２８に記載の装置。
【請求項３０】
前記２つ以上の性能メトリックは、個々に前記２つ以上の無線周波数信号からの信号強度推定値に少なくとも一部基づくものである、請求項２８に記載の装置。
【請求項３１】
移動局のプロセッサによって実行された場合、前記プロセッサに、請求項１乃至１０の何れか１項の前記方法を実行するよう指図する命令が記憶されている記憶媒体を備える物品。